(57)【特許請求の範囲】
【請求項１】
上部開口部及び下部開口部を有し、前記上部開口部から挿入される飲料容器を収納する収納部材と、この収納部材に上下移動可能に取付けられ前記飲料容器の底を支える可動床と、この可動床を上方へ付勢するために前記収納部材と前記可動床に渡した可動床付勢部材と、この可動床付勢部材に抗して前記可動床を所定の高さに留める可動床ロック機構と、この可動床ロック機構のロックを解除するロック解除部材と、前記下部開口部を塞ぐ底部材とを有する飲料容器保持装置であって、
前記収納部材は、縦に延びるガイド溝を有し、
前記可動床は、前記ガイド溝を通って前記収納部材の外まで延びる枝部と、この枝部から水平に延びる爪部を有し、
前記可動床ロック機構は、前記底部材の下に回転可能に取付けられる環状部材と、この環状部材から上へ前記ガイド溝に平行に延びる柱部材と、この柱部材に一体形成され前記爪部の上面を抑えるロック片とを有し、
前記収納部材の中心から見て、前記ガイド溝を通じて見えない位置で、前記爪部と前記可動床ロック機構が係合していることを特徴とする飲料容器保持装置。
【請求項２】
請求項１記載の飲料容器保持装置であって、
前記可動床ロック機構は、円弧長穴とこの円弧長穴に嵌るピンとを介して、前記収納部材に保持されていることを特徴とする飲料容器保持装置。
【請求項３】
請求項１又は請求項２記載の飲料容器保持装置であって、
前記柱部材の上端同士が連結部材で連結されていることを特徴とする飲料容器保持装置。
【請求項４】
請求項１〜３のいずれか１項記載の飲料容器保持装置であって、
前記底部材は、前記ガイド溝に連続する竪樋部を備えていることを特徴とする飲料容器保持装置。
【請求項５】
請求項１記載の飲料容器保持装置であって、
前記底部材には、水抜き筒部材が設けられ、前記可動床ロック機構は、ロック機構支持部材で回転自在に支持され、前記水抜き筒部材は、前記ロック機構支持部材の下方まで延設されていることを特徴とする飲料容器保持装置。
【請求項６】
請求項５記載の飲料容器保持装置であって、
前記水抜き筒部材には、係合片が形成され、前記係合片が前記ロック機構支持部材に係合していることを特徴とする飲料容器保持装置。
【発明の詳細な説明】
【技術分野】
【０００１】
本発明は、カップホルダーとも呼ばれる飲料容器保持装置に関する。
【背景技術】
【０００２】
車両、特に乗用車では、乗員の手が届く範囲に、カップホルダーが装備されている。例えば、３５０ｍｌの飲料容器をレギュラーサイズ容器、５００ｍｌの飲料容器をロングサイズ容器とした場合、カップホルダーがレギュラーサイズ容器に対応した深さであれば、ロングサイズ容器が上へ大きく突出し不安定となる。また、ロングサイズ容器に対応した深さであれば、レギュラーサイズ容器が取り出しにくくなる。
【０００３】
そこで、サイズ違いの飲料容器に対応可能なカップホルダーが、各種提案されてきた（例えば、特許文献１参照（図７、図８））。
【０００４】
特許文献１を図８に基づいて説明する。
図８（ａ）は従来の飲料容器保持装置の断面図であり、図８（ｂ）は、（ａ）のｂ−ｂ矢視図である。
図８（ａ）に示すように、飲料容器保持装置１００は、筒部１０１と、この筒部１０１内を昇降する可動床１０２と、操作ロッド１０３とを主要素とする。
可動床１０２の下面に、爪付きリング１０５が回転自在に取付けられ、この爪付きリング１０５に爪１０４が設けられている。
【０００５】
図８（ｂ）に示すように、筒部１０１に、縦に延びるガイド溝１０６が設けられており、このガイド溝１０６に沿って、爪１０４が上下動可能とされる。
ガイド溝１０６の一側にロック凹部１０７、１０８が設けられており、ロック凹部１０７、１０８の一方に爪１０４が嵌まると、可動床１０２は上下動不能にロックされる。
【０００６】
図８（ａ）で、想像線で示す位置に可動床１０２があるときに、人為的に操作ロッド１０３が押されると、爪付きリング１０５がトーションばね１０９の付勢力に抗してロック解除方向へ回転する。すると、図８（ｂ）において、ロック凹部１０８に嵌っている爪１０４が外れ、ガイド溝１０６を上昇し、ロック凹部１０７に嵌まり、図８（ａ）で、実線で示す位置に至る。
【０００７】
飲料容器１１１を、人為的に下げると、実線で示す可動床１０２は、想像線の位置まで下がり、その位置でロックされる。
ところで、飲料容器保持装置１００は、乗用車に搭載されることから、車体の振動の影響を受ける。すると、ある頻度又は確率で、飲料容器１１１から液体飲料がこぼれる。また、飲料容器１１１の出し入れの際に間違って液体飲料をこぼしてしまうこともある。こぼれる量が多くなると、液体飲料は、可動床１０２の縁からこぼれ、筒部１０１と可動床１０２の間の隙間１１２を流下する。
【０００８】
流下する流体飲料の一部は、図８（ｂ）に示すガイド溝１０６に沿って流下する。多くの液体飲料には粘着性に富む糖分が含まれる。この糖分が、ロック凹部１０７、１０８と爪１０４との間に介在し、両部材を接着する。結果、ロックを解除することが困難になる。
【０００９】
また、隙間１１２を流下する液体飲料の残部は、可動床１０２の底面に回り込み、可動床１０２に爪付きリング１０５を接着する。結果、ロックを解除することがますます困難になる。
このように、特許文献１に開示される飲料容器保持装置１００は、液体飲料のこぼれに強い構造であるとはいえない。
【００１０】
しかし、飲料容器保持装置１００の使われ方が多様化する中、液体飲料のこぼれに強い構造の飲料容器保持装置、すなわち、飲料容器から液体飲料がこぼれても、ロック解除困難などの操作不良が起こりにくい飲料容器保持装置が求められる。
【先行技術文献】
【特許文献】
【００１１】
【特許文献１】特許第６０７１００３号公報
【発明の概要】
【発明が解決しようとする課題】
【００１２】
本発明は、飲料容器から液体飲料がこぼれても、操作不良が起こりにくい飲料容器保持装置を提供することを課題とする。
【課題を解決するための手段】
【００１３】
請求項１に係る発明は、上部開口部及び下部開口部を有し、前記上部開口部から挿入される飲料容器を収納する収納部材と、この収納部材に上下移動可能に取付けられ前記飲料容器の底を支える可動床と、この可動床を上方へ付勢するために前記収納部材と前記可動床に渡した可動床付勢部材と、この可動床付勢部材に抗して前記可動床を所定の高さに留める可動床ロック機構と、この可動床ロック機構のロックを解除するロック解除部材と、前記下部開口部を塞ぐ底部材とを有する飲料容器保持装置であって、
前記収納部材は、縦に延びるガイド溝を有し、
前記可動床は、前記ガイド溝を通って前記収納部材の外まで延びる枝部と、この枝部から水平に延びる爪部を有し、
前記可動床ロック機構は、前記底部材の下に回転可能に取付けられる環状部材と、この環状部材から上へ前記ガイド溝に平行に延びる柱部材と、この柱部材に一体形成され前記爪部の上面を抑えるロック片とを有し、
前記収納部材の中心から見て、前記ガイド溝を通じて見えない位置で、前記爪部と前記可動床ロック機構が係合していることを特徴とする。
【００１４】
請求項２に係る発明は、請求項１記載の飲料容器保持装置であって、
前記可動床ロック機構は、円弧長穴とこの円弧長穴に嵌るピンとを介して、前記収納部材に保持されていることを特徴とする。
【００１５】
請求項３に係る発明は、請求項１又は請求項２記載の飲料容器保持装置であって、
前記柱部材の上端同士が連結部材で連結されていることを特徴とする。
【００１６】
請求項４に係る発明は、請求項１〜３のいずれか１項記載の飲料容器保持装置であって、
前記底部材は、前記ガイド溝に連続する竪樋部を備えていることを特徴とする。
請求項５に係る発明は、請求項１記載の飲料容器保持装置であって、
前記底部材には、水抜き筒部材が設けられ、前記可動床ロック機構は、ロック機構支持部材で回転自在に支持され、前記水抜き筒部材は、前記ロック機構支持部材の下方まで延設されていることを特徴とする。
請求項６に係る発明は、請求項５記載の飲料容器保持装置であって、
前記水抜き筒部材には、係合片が形成され、前記係合片が前記ロック機構支持部材に係合していることを特徴とする。
【発明の効果】
【００１７】
請求項１に係る発明では、収納部材の中心から見て、ガイド溝を通じて見えない位置で、爪部と可動床ロック機構が係合している。
こぼれた液体飲料の一部は、ガイド溝を通って収納部材の外へ出る。爪部と可動床ロック機構との係合部位がガイド溝を通じて見えない位置にあるため、液体飲料が、係合部位に掛ることはない。爪部と可動床ロック機構の係合は健全な作動が維持される。
よって、本発明によれば、飲料容器から液体飲料がこぼれても、操作不良が起こりにくい飲料容器保持装置が提供される。
【００１８】
請求項２に係る発明では、可動床ロック機構は、円弧長穴とこの円弧長穴に嵌るピンとを介して、収納部材に保持されている。収納部材で保持されるため、可動床ロック機構の振れ（水平方向の振れ）を抑制することができる。
【００１９】
請求項３に係る発明では、柱部材の上端同士が連結部材で連結されている。仮に、柱部材の上端がフリーであると、上端の撓みが出やすい。
本発明では、上端を連結部材で連結したので、柱部材の上端の撓みを抑えることができる。
【００２０】
請求項４に係る発明では、底部材は、ガイド溝に連続する竪樋部を備えている。ガイド溝に沿って流下する液体飲料が底部材の下面に回り込まないように、液体飲料を竪樋部へ流すことができる。
請求項５に係る発明では、水抜き筒部材で、底部材上に溜まる液体飲料を速やかに排出することができる。また、水抜き筒部材はロック機構支持部材の下方まで延設されているため、液体飲料がロック機構支持部材へ回り込むことは更にない。
請求項６に係る発明では、係合片がロック機構支持部材と係合するため、ロック機構支持部材のガタツキを抑制しながら、仮固定をすることが可能となっている。
【図面の簡単な説明】
【００２１】
【図１】本発明に係る飲料容器保持装置の斜視図である。
【図２】飲料容器保持装置（上部）の分解図である。
【図３】飲料容器保持装置（下部）の分解図である。
【図４】可動床ロック機構の斜視図である。
【図５】飲料容器保持装置の断面図である。
【図６】図１の６−６線断面図である。
【図７】図１の７−７線断面図である。
【図８】（ａ）は従来の飲料容器保持装置の断面図であり、（ｂ）は（ａ）のｂ−ｂ矢視図である。
【発明を実施するための形態】
【００２２】
本発明の実施の形態を添付図に基づいて以下に説明する。
【実施例】
【００２３】
図１に示すように、飲料容器保持装置１０は、上部に、ひょうたん形の上部開口部１１を有し、この上部開口部１１を通じて、円筒状の飲料容器（図５、符号１５）を出し入れすることができるカップホルダーである。なお、本発明の飲料容器保持装置１０は、１本の飲料容器を保持するカップホルダーであってもよい。この場合は、上部開口部１１は、円形となる。
【００２４】
また、円筒状の飲料容器（図５、符号１５）は、角筒状であってもよく、この場合は、上部開口部は、２つの四角形の途中がくびれたような角ひょうたん形となる。角筒状の飲料容器保持装置１０は、１本の飲料容器を保持するカップホルダーであってもよい。この場合、上部開口部１１は、四角形となる。
【００２５】
上部開口部１１を囲うように飾りリング１２が嵌められ、この飾りリング１２の下に上部パネル１３が置かれ、この上部パネル１３にロック解除部材としてのロック解除ボタン７２が配置される。このロック解除ボタン７２の作用は、後述の図７で説明する。
【００２６】
以下、図２〜図７に基づいて、各部の構造を説明する。
図２に示すように、収納部材２０は、上部筒体２１と、下部筒体２２とからなる。
下部筒体２２は、本例では、二つ割で成形された半体２２ａと半体２２ｂとで構成される。すなわち、半体２２ａに半体２２ｂを合わせ、第１ビス２４で止めることにより、１個の円筒とされる。なお、半体２２ａと半体２２ｂとの結合は係合爪と係合穴にて固定してもよく、また、下部筒体２２は、１個の筒体であっても差し支えない。
下部筒体２２は、縦に延びる３本のガイド溝２３を有する。
【００２７】
円筒状の下部筒体２２は、上部筒体２１に合わせ、第２ビス２５で固定される。以上により、上部開口部１１及び下部開口部２６を有する収納部材２０が、得られる。
このような収納部材２０に、可動床４０が上下移動可能に収納される。
【００２８】
可動床４０は、円板部４１と、この円板部４１から径外方へ水平に延びる枝部４２と、これらの枝部から延びる爪部４３と、枝部４２から上へ延びる縦長のマスク部４４とからなる。爪部４３は、円板部４１の外縁に略平行に延びている。
【００２９】
可動床４０と上部筒体２１とに、可動床付勢部材４６としての引張りばねが掛け渡される。すなわち、枝部４２がガイド溝２３を貫通した状態で、可動床４０は上へ付勢される。
なお、可動床付勢部材４６は、引張りばねの他、ゴム紐、トーションばね、圧縮ばねであってもよく、要は可動床４０を上へ付勢する部材であれば種類は問わない。
また、ガイド溝２３、枝部４２及び可動床付勢部材４６の数、位置は任意である。
【００３０】
図３に示すように、下部筒体２２の下部開口部２６は、底部材４８で塞がれる。底部材４８は、第３ビス４９により、下部筒体２２に固定される。
また、下部筒体２２は、上縁に径外方へ張出す張出し片２７を有し、この張出し片２７に円弧長穴２８を有している。
【００３１】
可動床ロック機構６０は、後述の図４で構造を詳しく説明するが、上面にピン６１を有し、下部に環状部材６２を有している。
このような可動床ロック機構６０は、カバー部材を兼ねるロック機構支持部材５０で回転自在に支持される。具体的には、ロック機構支持部材５０に、円環状の周壁部５１が設けられており、この周壁部５１に環状部材６２を回転可能に嵌められる。
【００３２】
可動床ロック機構６０は、トーションばね５３により、所定方向（ロック方向）へ付勢される。
そして、ピン６１が円弧長穴２８に嵌るようにして、可動床ロック機構６０を下部筒体２２に嵌め、次に、第４ビス５４でロック機構支持部材５０を底部材４８に固定する。
【００３３】
図４に基づいて、可動床ロック機構６０の構造を説明する。
図４（ａ）に示すように、可動床ロック機構６０は、環状部材６２と、この環状部材６２から上へ延びる３本の柱部材６３と、これらの柱部材６３の各々に一体形成されるロック片６４、６５と、柱部材６３の上端同士を結ぶ連結部材６６と、柱部材６３の上面に立てたピン６１とからなる。
【００３４】
なお、連結部材６６は、本実施例ではＣ形状を呈するが、収納部材２０が単なる円筒であるときは〇形状とする。
また、ロック片６４、６５は、本実施例では２個にしたが、１個のみ、又は３個以上の複数でも差し支えない。
【００３５】
また、図４（ａ）から連結部材６６を省いて軽量化を図ることは差し支えない。連結部材６６を省いた可動床ロック機構６０Ｂを、図４（ｂ）で説明する。
すなわち、図４（ｂ）に示すように、可動床ロック機構６０Ｂは、環状部材６２と、この環状部材６２から上へ延びる柱部材６３と、この柱部材６３に一体形成されるロック片６４、６５と、柱部材６３の上面に立てたピン６１とからなる。
【００３６】
この可動床ロック機構６０Ｂは、連結部材６６を備えていない分だけ、軽量化が図れる。反面、柱部材６３が片持ち梁であるため、柱部材６３の上端の撓みが大きくなりやすい。
この点、図４（ａ）の構造であれば、連結部材６６で、柱部材６３の上端の撓みを抑制することができる。
【００３７】
図５に示すように、上部筒体２１と下部筒体２２とからなる収納部材２０に、可動床４０が上下移動可能に収納されている。可動床４０は、いわゆるロングサイズの飲料容器１５の底を支えている。
周壁部５１周りを環状部材６２が回転し、下部筒体２２周りを連結部材６６が回転する。
なお、実施例では収納部材２０を上下に分割したが、成形が可能であれば収納部材２０は一個の円筒であってもよい。
【００３８】
図６に示すように、可動床４０は、可動床付勢部材４６で上方に付勢されている。ガイド溝２３は、縦長のマスク部４４でマスクされる。
【００３９】
図７に示すように、外から見て、ガイド溝２３から離れた位置に、爪部４３及び可動床ロック機構６０が置かれている。すなわち、図面奥に、収納部材２０の中心があるため、収納部材２０の中心から（図面奥から図面手前を）見たときに、ガイド溝２３を通じて見えない位置に、爪部４３及び可動床ロック機構６０が、配置されている。
【００４０】
また、可動床ロック機構６０は、複数の柱部材６３のうち一つの柱部材６３の近傍に、（図では右上がりに）傾斜したカム面６７を備えている。
また、カム面６７の近傍に、上へ延びる解除ロッド７０が配置されている。
この解除ロッド７０は、下部にカム面６７に載るカム部７１が形成され、下端がロック機構支持部材５０で上下動可能に支持され、上部が上部筒体２１で上下動可能に支持され、上端にロック解除ボタン７２が嵌められ、圧縮ばねなどの付勢部材７３で上方へ付勢されている。
【００４１】
なお、ロック解除部材７２は、ロック解除ボタン７２に限定されるものではなく、解除ロッド７０自体であってもよい。
ロック解除ボタン７２が人為的に押し下げられると、カム部７１でカム面６７が押され、可動床ロック機構６０はロック解除方向（図面では右側）へ移動する。
なお、ロック解除ボタン７２は、上部筒体２１の側壁に設けてもよい。ロック解除ボタンの動きは水平方向になるが、リンク等を介して、水平運動を上下運動に変換する機構を設ければよい。
【００４２】
図では、爪部４３は、下のロック片６５に噛み合っている。すなわち、ロック片６５が爪部４３の上面を抑えている。結果、可動床付勢部材４６で上方へ付勢されている可動床（図６、符合４０）は、その位置でロックされる。
【００４３】
次に、ロック解除ボタン７２を押し下げると、可動床ロック機構６０が、ロック解除方向（図面では右側）へ移動し、爪部４３から下のロック片６５が離れる。すると、可動床付勢部材４６により、爪部４３は、上へ移動し、ガイド溝２３の上縁にまで移動する。結果、図５に示す飲料容器１５は、上部が大きく突出して、掴みやすくなる。
【００４４】
図面は省略するが、飲料容器１５がレギュラーサイズである場合、爪部４３は上のロック片６４に掛けられる。この場合もロック解除ボタン７２を押し下げると、爪部４３は、上へ移動し、ガイド溝２３の上縁にまで移動する。
【００４５】
ところで、飲料容器には、上面の全てが解放された紙コップ（又はプラスチックコップ）が含まれる。紙コップでは、満たした液体飲料が、こぼれやすい。こぼれた液体飲料の一部は、ガイド溝２３を通って、図７の奥から手前へ流出する。このとき、爪部４３とロック片６４、６５は、ガイド溝２３から離れた位置にある。結果、こぼれた液体飲料が、爪部４３やロック片６４、６５に触れることはない。
【００４６】
そして、こぼれた液体飲料は、ガイド溝２３の下端に繋がる竪樋部７５を流下する。
図６において、竪樋部７５の存在により、こぼれた液体飲料が、底部材４８の下面に回り込むことが防止される。加えて、竪樋部７５がロック機構支持部材５０及び可動床ロック機構の環状部材６２より外側にあるため、竪樋部７５を流下する液体飲料が、ロック機構支持部材５０及び環状部材６２へ回り込むことはない。
【００４７】
なお、図５に示すように、底部材４８には、水抜き筒部材５５が設けられており、液体飲料を速やかに排水することができ、ロック機構支持部材５０の下方まで延設されているため、より液体飲料がロック機構支持部材５０及び環状部材６２へ回り込むことはない。
また、水抜き筒部材５５には、係合片５６が形成されている。係合片５６がロック機構支持部材５０と係合するため、ロック機構支持部材５０のガタツキを抑制しながら、仮固定をすることが可能となっている。
【００４８】
粘着性のある液体飲料が、爪部４３やロック片６４、６５に触れることはなく、且つ、ロック機構支持部材５０及び環状部材６２へ回り込むこともないため、可動床ロック機構６０の作動が円滑になり、ロック及びロック解除が円滑に行われる。
【００４９】
可動床ロック機構６０が回転するときに、ピン６１が円弧長穴２８でガイドされるため、可動床ロック機構６０は、揺れることなく、旋回する。よって、可動床ロック機構６０の良好な作動が維持される。
【００５０】
なお、ピン６１を下部筒体２２に設け、柱部材６３側に円弧長穴２８を設けることは差し支えない。また、ピン６１が貫通する円弧長穴２８は、ピン６１が嵌るだけの円弧溝であってもよい。
また、ピン６１は、円柱状だけでなく、円弧長穴２８に摺動可能に形成されていればよい。
【００５１】
尚、本発明の飲料容器保持装置１０は、乗用車に好適であるが、トラックやバスなどの陸上乗り物、航空機、船舶に適用することは差し支えない。ただし、急発進や急制動が想定される車両により好適である。
【産業上の利用可能性】
【００５２】
本発明の飲料容器保持装置は、車両に好適である。
【符号の説明】
【００５３】
１０…飲料容器保持装置、１１…上部開口部、１５…飲料容器、２０…収納部材、２３…ガイド溝、２６…下部開口部、２８…円弧長穴、４０…可動床、４２…枝部、４３…爪部、４６…可動床付勢部材、４８…底部材、６０、６０Ｂ…可動床ロック機構、６１…ピン、６２…環状部材、６３…柱部材、６４、６５…ロック片、６６…連結部材、７２…ロック解除部材（ロック解除ボタン）。
【図１】
0006905559.tif 000002
【図２】
0006905559.tif 000003
【図３】
0006905559.tif 000004
【図４】
0006905559.tif 000005
【図５】
0006905559.tif 000006
【図６】
0006905559.tif 000007
【図７】
0006905559.tif 000008
【図８】
0006905559.tif 000009